(57)【要約】【課題】  根腐れしにくく、移植後の活着度が高い樹木を栽培可能な樹木栽培方法を提供する。【解決手段】  本発明の樹木栽培方法は、主根張室と副根張室を備えた栽培容器を用いて樹木を栽培する方法であって、第一の栽培容器の主根張室に樹木を植え、樹木の根が副根張室に進入するまで展伸させ、副根張室に進入した樹木の根を切断し、断根した樹木を主根張室から取り出して第一の栽培容器よりも大きな第二の栽培容器の主根張室に植え替え、その後、主根張室での栽培、根の切断、及び第一の栽培容器よりも大きな第二の栽培容器への植え替えを繰り返し、樹木を所期の大きさまで栽培する方法である。第一の栽培容器内の主根張室での栽培及び第一の栽培容器の副根張室での断根を複数回繰り返してから第二の栽培容器の主根張室に植え替えてもよい。【選択図】図２
2014117189.tif 000002
【特許請求の範囲】
【請求項１】
栽培容器を用いて樹木を栽培する方法であって、
前記栽培容器は主根張室と副根張室を備え、当該副根張室は主根張室の外側に設けられ、副根張室と主根張室とは仕切り材で仕切られ、当該仕切り材には主根張室内で栽培される樹木の根が通過可能な大きさの貫通孔が二以上設けられ、
樹木を第一の栽培容器の主根張室に植え、
前記樹木の根を少なくとも副根張室に進入するまで展伸させ、
前記副根張室に進入した前記樹木の根を切断（断根）し、
前記断根した樹木を主根張室から取り出して、前記第一の栽培容器よりも大きな第二の栽培容器の主根張室に植え替え、
その後、主根張室での栽培、副根張室に進入した根の切断、及び栽培中の栽培容器よりも大きな栽培容器への植え替えを必要回繰り返して、樹木を所期の大きさまで栽培する、
ことを特徴とする樹木栽培方法。
【請求項２】
請求項１記載の樹木栽培方法において、
第一の栽培容器内での栽培及び第一の栽培容器での断根を複数回繰り返してから、樹木を第二の栽培容器の主根張室に入れ替える、
ことを特徴とする樹木栽培方法。
【発明の詳細な説明】
【技術分野】
【０００１】
本発明は、栽培容器を用いた樹木（樹木の苗木を含む。明細書及び特許請求の範囲において同じ。）の栽培方法に関する。
【背景技術】
【０００２】
樹木の栽培方法として、育成圃で育成した苗木を、根回し（剪定、根切り、根巻き等）、根鉢取り、植え付けといった手順を経て、公園や街路などの任意の植樹場所に移植（定植）する方法が知られている。根回しは移植にあたっての下準備作業であり、断根をすることによって細根の発生を促進し、移植後の活着を容易にすることを目的として行われる重要な作業である。根回し作業（根切りや根巻き等）は重労働であるうえ、根切り範囲の特定や根巻きなどが難しく、作業者の熟練度によって仕上がりにばらつきが出やすいという難点がある。
【０００３】
前述のような根回し作業を省略可能な栽培方法として、栽培容器を用いて樹木を栽培するコンテナ栽培が知られている。コンテナ栽培に用いる栽培容器の一例として、外容器とその外容器内に接面状態で組み付けられる（収容される）内容器を備えたポット（特許文献１）や、複数枚のパネルを多角筒状に連結したコンテナ（特許文献２）が提案されている。
【先行技術文献】
【特許文献】
【０００４】
【特許文献１】特開平０９−１５４４０８号公報
【特許文献２】特開平０８−１９１６３８号公報
【発明の概要】
【発明が解決しようとする課題】
【０００５】
前記特許文献１記載の栽培用ポットは、内容器に接面した外容器によって樹木の根の張り出しが抑えられるため、ポット内で根詰まりをおこし、根腐れ等の問題を生じるおそれがある。特許文献２記載のコンテナは、金属製のパネルなどで根の張り出しが抑えられるため、特許文献１と同様、根詰まりや根腐れ等の問題を生じるおそれがある。
【０００６】
本発明の目的は、根詰まりや根腐れが生じにくく、根切り範囲の特定が容易で作業者の熟練度によって差が出にくく、移植後の活着度が高い、樹木の栽培方法を提供することにある。
【課題を解決するための手段】
【０００７】
本発明の樹木栽培方法は、栽培容器を用いて樹木を栽培する方法である。この方法で使用される栽培容器は主根張室と副根張室を備え、当該副根張室は主根張室の外側に設けられ、副根張室と主根張室とは仕切り材で仕切られ、当該仕切り材には主根張室内で栽培される樹木の根が通過可能な大きさの貫通孔が二以上設けられたものである。本発明の樹木栽培方法は、前記特徴を備えた栽培容器を用いて樹木を栽培する方法であって、第一の栽培容器の主根張室に樹木を植え、前記樹木の根を少なくとも副根張室に進入するまで展伸させ、前記副根張室に進入した前記樹木の根を切断（断根）し、前記断根した樹木を主根張室から取り出して、前記第一の栽培容器よりも大きな第二の栽培容器の主根張室に植え替え、その後、主根張室での栽培、副根張室に進入した根の切断、及び栽培中の栽培容器よりも大きな栽培容器への植え替えを繰り返して、樹木を所期の大きさまで栽培する方法である。第二の栽培容器への植え替え時には、必要に応じて主根張室に主根張室培土を充填する。
【０００８】
前記樹木栽培方法は、第一の栽培容器内での栽培及び第一の栽培容器内での断根を複数回繰り返してから、樹木を第二の栽培容器の主根張室に入れ替えるようにしてもよい。この場合、断根後に、副根張室内の副根張室培土を切断された根とともに取り出し、空になった当該副根張室にあらたな副根張室培土を充填する。
【０００９】
本発明の樹木栽培方法は、桜、銀杏、梅、桃、柿、ブルーベリーなど、街路や公園などに植えられる大型の樹木の移植に特に適する方法である。
【発明の効果】
【００１０】
本発明の樹木栽培方法には、次のような効果がある。
（１）主根張室内で栽培した植物の根を、副根張室培土に進入させるので、樹木が主根張室で根詰まりしにくく、根詰まりによる各種弊害が生じにくい。
（２）副根張室に進入した根を切断することにより、樹木に適度な刺激が加わり、新たな根の発育（発根）が促進される。断根を繰り返すことによって、新たな根の発育が促進され、活着性の高い樹木を栽培することができる。
（３）栽培容器を樹木の成長度合いに応じて大きなものにするので、定植前の長期的な栽培が可能であり、定植後に活着しやすい樹木を栽培することができる。
（４）主根張室と副根張室とが仕切り材によって仕切られているため、根切り範囲の特定が容易であり、仕上がりにばらつきが出にくい。
（５）樹木を一々掘り起こさなくても、栽培容器を回すだけで樹木の向きを変えることができるので、日差しを樹木全体に万遍なくあてやすく、樹形バランスの良い樹木を栽培することができる。
【図面の簡単な説明】
【００１１】
【図１】本発明の樹木栽培方法に使用する栽培容器の一例を示すものであって、（ａ）は主根張室及び副根張室に培土を充填し、主根張室に樹木を植えた場合の斜視図、（ｂ）は空の栽培容器の外壁を取り外した状態を示す斜視図。
【図２】本発明の樹木栽培方法の一例を示す工程説明図。
【図３】本発明の樹木栽培方法に使用する栽培容器の他例を示すものであって、主根張室の外側（外周）と内側（内周）の双方に副根張室を設けた場合の斜視図。
【図４】本発明の樹木栽培方法に使用する栽培容器の他例を示すものであって、（ａ）は栽培容器の形状を横長箱状とした場合の斜視図、（ｂ）は（ａ）の栽培容器の外壁を取り外した状態を示す斜視図。
【図５】本発明の樹木栽培方法に使用する栽培容器の他例を示すものであって、（ａ）は底材が横幅方向中央に向けてＶ字状に傾斜している場合の縦断面図、（ｂ）は底材が横幅方向外側に向けてヘの字状に傾斜している場合の縦断面図、（ｃ）は底材が横幅方向一方側に向けて傾斜している場合の縦断面図。
【図６】本発明の樹木栽培方法に使用する栽培容器の他例を示すものであって、副根張室を複数の小室に区画した場合の斜視図。
【図７】本発明の樹木栽培方法に使用する栽培容器の他例を示すものであって、（ａ）は夫々の小室に成型培土を収容する場合の斜視図、（ｂ）は小室に区画されていない副根張室に成型培土を収容する場合の斜視図。
【図８】本発明の樹木栽培方法に使用する栽培容器の他例を示すものであって、副根張室を主根張室から分離した状態を示す縦断面図。
【図９】本発明の樹木栽培方法に使用する栽培容器の他例を示すものであって、主根張室と副根張室を二以上の仕切り材を横に並べて仕切って、仕切り材の間に通過部を設けた場合の説明図。
【図１０】樹木栽培方法に使用する栽培容器の他例を示すものであって、（ａ）及び（ｂ）は、副根張室を主根張室の四方に設けた場合の説明図。
【図１１】本発明の樹木栽培方法で栽培した樹木の利用例を示すものであって、（ａ）は樹木が植えられた栽培容器を設置場所の地表面に固定して街路樹等とする場合の説明図、（ｂ）は樹木が植えられた栽培容器を設置場所の地中に埋設固定して街路樹等とする場合の説明図、（ｃ）は樹木栽培中の栽培容器よりも大きめの栽培容器を設置場所に固定し、その固定した大きめの栽培容器に樹木を植え替えて街路樹等とする場合の説明図。
【図１２】本発明の樹木栽培方法で栽培した樹木の他の利用例を示すものであって、樹木栽培中の栽培容器から樹木を掘り出し、そのまま設置場所に設けられた植え穴に定植する場合の説明図。
【発明を実施するための形態】
【００１２】
（樹木栽培方法の実施形態）
本発明の樹木栽培方法の一例を、図面を参照して説明する。本発明の樹木栽培方法は、主根張室２と副根張室３を備えた栽培容器４を用いて樹木１を栽培する方法であって、樹木１の成長度合いに応じて、大きな栽培容器４に植え替えながら樹木１を所期の大きさまで栽培する方法である。
【００１３】
本発明の樹木栽培方法には、例えば、図１（ａ）（ｂ）に示すような栽培容器４を用いることができる。この栽培容器４は、主根張室２と副根張室３を備えた円筒状のものであり、主根張室２の外側に副根張室３が設けられている。副根張室３と主根張室２は、二以上の通過部８を備えた仕切り材７で仕切られている。図１（ａ）（ｂ）に示す栽培容器４の詳細及び栽培容器４の他例については後述する。以下、本発明の樹木栽培方法について詳述する。
【００１４】
本発明の樹木栽培方法は、第一の栽培容器４ａの主根張室２ａに樹木１を植え、その樹木１の根５を少なくとも副根張室３ａに進入するまで展伸させ、副根張室３ａに進入した樹木１の根５を切断（断根）し、断根した樹木１を主根張室２ａから取り出して、第一の栽培容器４ａよりも大きな第二の栽培容器４ｂの主根張室２ｂに植え替え、その後、主根張室２での栽培、副根張室３に進入した根の切断、及び栽培中の栽培容器４ａよりも大きな栽培容器４ｂへの植え替えを繰り返して、樹木１を所期の大きさまで栽培する方法である。なお、本願において、第一の栽培容器４ａと第二の栽培容器４ｂは相対的な概念であり、第二の栽培容器４ｂに植え替えた樹木１をさらに大きな栽培容器（便宜的に栽培容器４ｃとする）に植え替えるような場合、当該第二の栽培容器４ｂが第一の栽培容器４ａに相当し、植え替え後の栽培容器４ｃが第二の栽培容器４ｂに相当する。
【００１５】
一例として図２に示す栽培方法は、栽培容器４ａの主根張室２ａに樹木１を植え（ＳＴＥＰ００１）、当該樹木１の根５が少なくとも副根張室３ａに進入するまで（副根張室３ａの副根張室培土６に到達するまで）主根張室２ａで育成し（ＳＴＥＰ００２）、副根張室３ａに進入した樹木１の根５を切断し（ＳＴＥＰ００３）、主根張室２ａに植えられた樹木１を栽培容器４ａよりも大きな栽培容器４ｂの主根張室２ｂに根鉢ごと植え替え（ＳＴＥＰ００４）、栽培容器４ｂの主根張室２ｂに空間（間隙）がある場合にその間隙に培土（主根張室培土９）を補充し（ＳＴＥＰ００５）、栽培容器４ｂの副根張室３ｂに副根張室培土６を充填し（ＳＴＥＰ００６）、その後、主根張室２での育成（ＳＴＥＰ００２）、副根張室３での断根（ＳＴＥＰ００３）、栽培中の栽培容器４よりも大きな栽培容器４への入れ替え（ＳＴＥＰ００４）、主根張室２への主根張培土９の補充（ＳＴＥＰ００５）及び副根張室３への副根張室培土６の充填（ＳＴＥＰ００６）を必要に応じて繰り返し、樹木１を所期の大きさまで成長させる方法である。樹木１は、大きめの栽培容器４（図２の第二の栽培容器４ｂ）へ植え替える前に、同一の栽培容器４（図２の第一の栽培容器４ａ）で所望程度まで育成することもできる（ＳＴＥＰ００８）。この場合、第一の栽培容器４ａの副根張室３ａ内に充填されている副根張室培土６を副根張室３ａから取り除き（ＳＴＥＰ００７）、新たな副根張室培土６を充填する。以下、夫々のＳＴＥＰについて詳述する。
【００１６】
［ＳＴＥＰ００１］
栽培容器４ａの主根張室２ａに入れる樹木１は任意に選択することができるが、桜、銀杏、梅、桃、柿、ブルーベリーなど、街路や公園などに植えられる大きめの樹木が好ましい。樹木１の周囲には主根張室培土９を充填してあるが、この主根張室培土９は、樹木１を植えてから充填することも、樹木１を植える前に予め充填しておくこともできる。主根張室培土９には、ピートモスや赤土といった既存の培土や、これらを二種以上混合したもの等を用いることができる。ピートモスや赤土等は根張に特に適する。
【００１７】
［ＳＴＥＰ００２］
副根張室３ａには副根張室培土６が充填してあり、樹木１の根５が副根張室３ａの副根張室培土６に到達するまで成長させられるようにしてある。副根張室３に充填する副根張室培土６は、主根張室培土９と同様のものを用いることができる。副根張室培土６と副根張室培土９は、同じ種類のものでも異なる種類のものでもよい。副根張室培土６はばらのものでもブロック状に成型したもの（以下「成型培土１４」という）であってもよい。ブロック状に成型した場合、その外周を被覆材２６（図７（ａ）（ｂ）参照）でカバーすることもできる。被覆材２６には、通気性があり、土中で分解される性質の紙製フィルム、シート、不織布等を使用することができる。副根張室培土６は樹木１を主根張室２に植える前に予め充填しておくことも、主根張室２で育成する樹木１の根５が副根張室３に進入する直前或いは展伸した後に充填することもできる。
【００１８】
［ＳＴＥＰ００３］
副根張室３の副根張室培土６に到達した根５の切断（断根）は、例えば、副根張室３の上方から仕切り材７の外側に切断具１０を押し込んで行うことができる。断根は仕切り材７の内側で行ってもよく、この場合は仕切り材７の内側に切断具１０を押し込んで行う。断根は任意のタイミングで行うことができるが、樹木１の根５が、主根張室２内で根鉢を作れる程度まで成育してから行うのが好ましい。副根張室３が図６や図７（ａ）のような小室２０に分離（区画）されている場合、断根は小室２０ごとに行うこともできる。断根を小室２０ごとに時期をずらして行うことにより、栽培環境の急激な変化を抑えることができ、樹木１の成育が阻害されるといった弊害を回避することができる。
【００１９】
［ＳＴＥＰ００４］
樹木１の断根後、断根した当該樹木１を栽培中の栽培容器４ａよりも大きな栽培容器４ｂの主根張室２ｂ内に植え替える。樹木１の植え替えは、手作業で行うことができるが、樹木１が大きく成長している場合には各種機器（重機等）を用いることもできる。
【００２０】
［ＳＴＥＰ００５］
樹木１を栽培容器４ｂの主根張室２ｂへ植え替えたのち、主根張室２ｂの内周壁（仕切り材７）と樹木１の根鉢外周との間隙に主根張室培土９を補充（充填）し、樹木１を固定する（安定させる）。ここで充填する主根張室培土９にも、ピートモスや赤土といった既存の培土やこれらを二種以上混合したもの等を用いることができる。
【００２１】
［ＳＴＥＰ００６］
栽培容器４ｂの副根張室３に副根張室培土６を充填し、主根張室２ｂで栽培する樹木１の根５が展伸できるようにしておく。副根張室培土６は、樹木１を主根張室２ｂに植える前に予め充填しておくことも、主根張室２ｂで育成する樹木１の根５が副根張室３ｂに展伸する直前或いは展伸した後に充填することもできる。副根張室培土６は、ばらのものでも、図７（ａ）（ｂ）に示すような成型培土１４であってもよい。培土（副根張室培土６及び主根張室培土９を含む。）の参考例については後述する。
【００２２】
以後、樹木１が所期の大きさに成長するまで、主根張室２での育成（ＳＴＥＰ００２）、副根張室３での断根（ＳＴＥＰ００３）、栽培中の栽培容器４よりも大きな栽培容器４への入れ替え（ＳＴＥＰ００４）、主根張室２への主根張培土９の補充（ＳＴＥＰ００５）、及び副根張室３への副根張室培土６の充填（ＳＴＥＰ００６）を必要に応じて繰り返し、樹木１を所期の大きさまで成長させる。
【００２３】
［ＳＴＥＰ００７、００８］
樹木１は、同一の栽培容器４（図２の第一の栽培容器４ａ）で所望程度まで成長させてから、大きめの栽培容器４（図２の第二の栽培容器４ｂ）へ植え替えることもできる（ＳＴＥＰ００８）。この場合、断根（ＳＴＥＰ００３）後に副根張室３（図２の副根張室３ａ）内の副根張室培土６を取り出し（ＳＴＥＰ００７）、その副根張室３ａ内に、あらたな副根張室培土６を充填して樹木１の根５が副根張室３ａ内に展伸できるようにしておく。
【００２４】
［栽培容器］
前述した栽培容器４は一例であり、栽培容器４はこれ以外のものであってもよい。以下、前記樹木栽培方法で説明した栽培容器４（図１（ａ）（ｂ））の詳細及び栽培容器４の他例について説明する。
【００２５】
（栽培容器の参考例１）
図１（ａ）（ｂ）に示す栽培容器４は、主根張室２と副根張室３とが、通過部８を備えた仕切り材７で仕切られ、主根張室２で栽培する樹木１の根５が通過部８を通過して副根張室３に進入できるようにしてある。この例では、仕切り材７の通過部８を、主根張室２内で成育される樹木１の根５が通過可能な大きさの縦長溝としてあるが、通過部８の大きさや形状はこれ以外であってもよく、例えば、丸孔、横長孔等とすることができる。通過部８の数、配列、間隔等は根５が通過し易くなるように任意に設計することができる。仕切り材７には、図６に示すようなエキスパンドメタル等を使用することができる。この場合、エキスパンドメタルの網目が通過部８として機能する。副根張室３の外壁１７は、図１（ｂ）のような取り外し式とすることも固定式とすることもできる。栽培容器４の形状は、これ以外の形状（たとえば楕円形、星型等といった形状）であってもよい。いずれの場合も主根張室２と副根張室３が必要であり、その材質は、紙、樹脂、ＦＲＰ（繊維強化プラスチック）などが適し、容易に腐食（酸化）しない材質製のものが特に好ましい。
【００２６】
（栽培容器の参考例２）
図３に示す栽培容器４は、中央部分に空間を備えたドーナツ状のものであり、主根張室２の外側（外周）と内側（内周）の双方に副根張室３を設けたものである。主根張室２と副根張室３が仕切り材７で仕切られていること、通過部８の形状や数等を任意に設計できること、外壁１７を取り外し式或いは固定式にできること、材質は紙、樹脂、ＦＲＰ（繊維強化プラスチック）などが適すること等、その他のことは栽培容器の参考例１と同様である。
【００２７】
（栽培容器の参考例３）
図４（ａ）（ｂ）に示す栽培容器４は横長箱状にしたものであり、主根張室２の両外側に副根張室３を備えたものである。主根張室２は、底材１５と、対向配置された二枚の仕切り材７と、二枚の側壁１６で囲われており、その内部空間に培土を入れて樹木１を栽培できるようにしてある。副根張室３の外壁１７は通気性の良いものが好ましく、例えば紙製の硬質板材、前面に培土が落ちない程度の微細孔が開口されたパンチングメタルなどを用いることができる。外壁１７は、図４（ｂ）に示すような取り外し式とすることもできる。
【００２８】
図４（ａ）（ｂ）に示す栽培容器４の底材１５は、栽培容器４の設置面に対して平行に設けられているが、図５（ａ）に示すように主根張室２の幅方向（図５（ａ）の左右方向）中央部に向けて正面視Ｖ字状の下り傾斜にして、主根張室２内及び副根張室３内の水はけを良くして根腐れを防止できるようにすることもできる。底材１５の傾斜方向最下部にドレイン１８を設けておけば底材１５に溜まった水を抜くことができる。底材１５は排水に適する傾斜方向、傾斜角度、形状であれば図示した以外であってもよく、例えば、図５（ｂ）に示すように底面をヘの字状（主根張室２の横幅方向中央側から両副根張室３の外壁１７側に向けてヘの字状）にして、両側面（外壁１７側）から余分な水分を排水可能とすることもできる。底材１５は図５（ｃ）のように横幅方向一方側に傾斜させておくこともできる。底材１５は培土が落下しない程度の細かな孔や目を備えた板材、網材等、通気性の良いものを用いることもできる。この場合、底材１５は任意方向、任意角度に傾斜させることもできるが、傾斜させなくてもよい。底材１５にも通気用、通水用の開口部（孔や溝等を）を設けることもできる。底材１５は全部又は一部を着脱可能とすることもできる。
【００２９】
前記副根張室３は図６に示すようにその内部を区画材１９で二以上の小室２０に区画することもできる。その区画数は二個又は四個以上など、目的に応じ任意の数とすることができる。前記区画材１９は取り外し式とすることもできる。図６に示す例では、副根張室３を縦方向に区画してあるが、横方向に区画したり、縦方向と横方向に交互に区画したり、適宜に区画することができる。各小室２０の外壁１７は個別に脱着できるようにしてあるが、全ての小室２０を一枚で閉塞できるサイズとすることもできる。
【００３０】
（栽培容器の参考例４）
図７（ａ）（ｂ）に示す栽培容器４の基本的な構造は、前記栽培容器の参考例と同様である。図７（ａ）の栽培容器４は、副根張室３を小室２０に区画し、夫々の小室２０ごとに成型培土１４を入れられるようにしたものである。この栽培容器４の外壁１７は小室２０ごとに区画され、小室２０ごとに取り外せるようにしてある。図７（ｂ）の栽培容器４は、副根張室３を小室２０に分けず、その副根張室３に一つの成型培土１４を入れられるようにしたものである。副根張室３には複数の成型培土１４を入れることもできる。この栽培容器４の外壁１７は、一つで副根張室３全体を閉塞できるサイズとしてある。
【００３１】
（栽培容器の参考例５）
図８に示す栽培容器４の基本的な構造は、前記栽培容器の参考例と同様である。異なるのは、副根張室３と主根張室２を別体として脱着可能としたことである。具体的には、副根張室３の底材１５に嵌合突起２１を設けるとともに、主根張室２の底材１５にその嵌合突起２１に嵌合可能な嵌合凹部２２を設け、嵌合突起２１を嵌合凹部２２に嵌合することで接続でき、嵌合突起２１を嵌合凹部２２から抜くことで分離できるようにしてある。副根張室３と主根張室２は他の手段による脱着式とすることもできる。主根張室２で栽培中の樹木１の根５が副根張室３内に進入（展長）して一定程度伸びたところで根切りをし、副根張室３を主根張室２から取外して、培土の入替えを行うことができる。
【００３２】
（栽培容器の参考例６）
図９に示す栽培容器４の基本的な構造は、前記栽培容器の参考例と同様である。異なるのは、主根張室２と副根張室３とを二枚以上の仕切り材７を間隔をあけて配置して仕切り、夫々の仕切り材７の隙間を通過部８としたことである。主根張室２内で栽培した樹木１の根５は通過部８を通過して副根張室３内に進入できるようにしてある。この場合、夫々の仕切り材７には、スリット、網目、貫通孔などの通過部８を備えたものを用いることもできるが、通過部８を備えていないものを用いることもできる。この参考例では、二枚以上の仕切り材７が縦向きに配置されているが、二以上の仕切り材７は横向きにして高さ方向に間隔をあけて配置することもできる。この場合、仕切り材７は上下方向にスライドさせて出し入れ可能とすることも、長手方向両端側から横方向にスライドさせて出し入れ可能とすることもできる。
【００３３】
（栽培容器のその他の例）
図４〜図９に示す栽培容器４は、底材１５の底面の長手方向両下端にＬ字状の細長板状の支持部２３が取り付けられて、支持部２３を設置面に設置すると底材１５の底面が設置面から離れて（浮いて）、設置面と設置面との間に底側空間Ｓができるようにしてある。支持部２３の長手方向両端部の下には上向きコ字状の補強材２４を取付けて支持部２３及び底材１５を補強してある。この補強材２４は細長であり両端の上向きに突出する受部２４ａが左右の支持部２３の外側に宛がわれて栽培容器４に固定されて、支持部２３が外側に広がる（変形する）のを防止することもできるようにしてある。底側空間Ｓには、例えば暖房用或いは冷却用の配管を敷設することができる。支持部２３、補強材２４は他の形状や構造であってもよく、例えば角パイプやブロック等であってもよい。
【００３４】
前記支持部２３には、二以上の栽培容器４を連結する際に使用可能な孔状の連結部２５が設けられている。例えば、二つの栽培容器４を連結する場合、両栽培容器４の連結部２５を向かい合せ、両連結部２５にボルトを差し込み、そのボルトをナットで固定することによって、両者を連結することができる。連結部２５はこれ以外の機構、方式であってもよく、個々の栽培容器４にフックや他の構造の係止具を取り付けて、連結する二つの栽培容器４の係止具を互いに係止することにより連結でき、その係止を外すことにより分離できるものであってもよい。連結部２５は支持部２３以外に設けることもできる。栽培容器４は長手方向両側の側壁を取り外して連結することもできる。可能であれば横方向（左右）に並べて連結することもできる。
【００３５】
図４〜図９に示す栽培容器４は、主根張室２が横長箱型であり、その両外側に副根張室３を設けてあるが、副根張室３はいずれか一方にのみ設けることも、同一方向に二以上設けることも、図１０（ａ）（ｂ）のように四方に設けることもできる。
【００３６】
前記栽培容器の参考例は一例であり、これら以外のものであってもよい。また、前記各参考例で説明した構成は、本発明の所期の目的を達成可能な範囲で相互に転用することができる。
【００３７】
（培土の参考例）
本発明の樹木栽培方法において使用される培土（主根張室培土９、副根張室培土６、及び培土１３）は、栽培に必要な性能や目的を備えた汎用の或いは新規なものを使用することができる。培土はばらでも、成型培土１４（ブロック培土）でも、カプセル状の容器にばら或いはブロック状の培土を収容したもの（カプセル培土）であってもよい。成型培土１４はブロック状のままでも良いが、その外周を被覆材２６で被覆して型崩れしないようにすることもできる。被覆材２６には樹木１の根５が進入可能な孔、目、隙間等の通過部を備えたもの、通水性や通気性を備えたもの、土中で分解される紙製のフィルム、シート、不織布等が適する。被覆材２６は土中で分解されない材質のものでもよい。カプセル形状の容器は土中で分解されない材質のものでもよい。この場合、使用後にカプセル内の培土を取り出して、そのカプセルに新しい培土を詰めて再利用できるようにしてもよい。本発明の成型培土１４の形状やサイズは、小室２０に区画した又は区画しない副根張室３内に収容できるように、夫々の副根張室３の形状、サイズに合わせる。
【００３８】
（樹木栽培方法で栽培した樹木の利用例）
本発明の樹木栽培方法で栽培した樹木１は、所望程度まで成長した段階で、図１１（ａ）（ｂ）に示すように、栽培容器４から取り出すことなくそのまま設置場所１１に設置して街路樹等として利用することができる。
【００３９】
図１１（ａ）のように設置場所１１の地表面にそのまま設置する場合、樹木１が植えられた状態の栽培容器４を、樹木１の設置場所１１の地表面又は地中に固定手段２７を用いて固定する。固定手段２７としては、例えばワイヤーやアンカーボルト等を用いることができる。このとき、併せて樹木１を固定することもできる。図１１（ａ）に示すような、栽培容器４を地表面に設置する方法は、期間限定で行われるイベント（短期イベントなど）等で、樹木１を設置したい場合などに特に適する方法である。
【００４０】
図１１（ｂ）のように設置場所１１の地中に埋設させて設置する場合、設置場所１１に埋め込み穴２８を設け、その埋め込み穴２８内に栽培容器４を設置する。栽培容器４と埋め込み穴２８内周面の間に培土などを充填し栽培容器４を埋め込み穴２８内に固定する。栽培容器４を地中に埋設する場合、栽培容器４の全体を埋設することも、一部が地表面よりも外側に突出するように埋設することもできる。図１１（ｂ）では固定手段２７は図示していないが、栽培容器４の一部を突出させる場合等、栽培容器４が転倒するおそれがあるような場合には栽培容器４又は／及び樹木１を固定手段２７で固定してもよい。
【００４１】
本発明の樹木栽培方法で栽培した樹木１を街路樹等として利用する場合、栽培容器４を設置場所１１に固定する代わりに、図１１（ｃ）に示すように、当該栽培容器４（第一の栽培容器４ａ）よりも大きな栽培容器４（第二の栽培容器４ｂ）を設置場所１１の地表面又は地中に固定し、その固定した大きな栽培容器４ｂの主根張室２ｂに樹木１を植え替えて街路樹等とすることもできる。
【００４２】
本発明の樹木栽培方法で栽培した樹木１は、図１２に示すように栽培容器４の主根張室２から掘り出して、樹木１の設置場所１１に設けられた植え穴１２に直接植え替えることもできる。植え穴１２に植えた樹木１は、その根回りに培土１３を充填して当該植え穴１２内に固定する。必要な場合、樹木１自体も固定することができる。
【産業上の利用可能性】
【００４３】
前記実施形態では、桜、銀杏、梅、桃、柿、ブルーベリーなど、街路や公園などに植えられる大型の樹木を栽培する場合を一例として説明しているが、本発明の樹木栽培方法は、果菜や花卉など、前記以外の植物の栽培にも応用することができる。また、本発明の樹木栽培方法で栽培した樹木は、街路のみならず、公園、庭、学校、テーマパークといった任意の場所に設置して利用することもできる。本発明の樹木栽培方法に用いる栽培容器はその利用目的に応じて任意のサイズに設計することができる。
【符号の説明】
【００４４】
１      樹木
２      主根張室
２ａ    小さい方の栽培容器の主根張室
２ｂ    大きい方の栽培容器の主根張室
３      副根張室
３ａ    小さい方の栽培容器の副根張室
３ｂ    大きい方の栽培容器の副根張室
４      栽培容器
４ａ    小さい方の栽培容器（第一の栽培容器）
４ｂ    大きい方の栽培容器（第二の栽培容器）
５      （樹木の）根
６      副根張室培土
７      仕切り材
８      通過部
９      主根張室培土
１０    切断具
１１    （樹木の）設置場所
１２    植え穴
１３    培土
１４    成型培土
１５    底材
１６    側壁
１７    外壁
１８    ドレイン
１９    区画材
２０    小室
２１    嵌合突起
２２    嵌合凹部
２３    支持部
２４    補強材
２４ａ  受部
２５    連結部
２６    被覆材
２７    固定手段
２８    埋め込み穴
Ｓ      底側空間
【図１】
2014117189.tif 000003
【図２】
2014117189.tif 000004
【図３】
2014117189.tif 000005
【図４】
2014117189.tif 000006
【図５】
2014117189.tif 000007
【図６】
2014117189.tif 000008
【図７】
2014117189.tif 000009
【図８】
2014117189.tif 000010
【図９】
2014117189.tif 000011
【図１０】
2014117189.tif 000012
【図１１】
2014117189.tif 000013
【図１２】
2014117189.tif 000014